(57)【要約】  本発明のディスプレイを駆動する方法は、画像を更新するための複数の駆動波形を供給するステップを有する。前記複数の駆動波形のそれぞれ１つの供給は、連続する期間のそれぞれ１つにおいて開始される。前記複数の駆動波形の少なくとも後続するサブセットは、１以上の後続する画素について供給され、該１以上の後続する画素のそれぞれは、駆動波形の後続するサブセットの以前のものが供給された１以上の以前の画素よりも、画像の反対側に近い。本発明のディスプレイドライバは、本発明の方法を実行する。本発明の制御ソフトウェアは、ディスプレイドライバが、本発明の方法を実行可能とするように動作可能である。本発明のディスプレイパネルは、本発明のディスプレイドライバを有する。本発明の電子装置は、本発明のディスプレイパネルを有する。
2008529052.tif 000002
【特許請求の範囲】
【請求項１】
画像を更新するための複数の駆動波形を供給するように動作可能なプロセッサを有するディスプレイドライバであって、前記複数の駆動波形のそれぞれ１つの供給は、連続する期間のそれぞれ１つにおいて開始され、前記複数の駆動波形の少なくとも後続するサブセットが１以上の後続する画素について供給され、前記１以上の後続する画素のそれぞれは、駆動波形の後続するサブセットの以前のものが供給された１以上の以前の画素よりも、前記画像の反対側に近いディスプレイドライバ。
【請求項２】
前記複数の駆動波形のうち特定の波形が、連続する期間のうち１以上の最初の期間において供給され、前記特定の波形は、グレースケールに向かう画像遷移のための駆動波形である、請求項１に記載のディスプレイドライバ。
【請求項３】
前記複数の駆動波形のうち特定の波形が、連続する期間のうち１以上の最初の期間において供給され、前記特定の波形は、比較的低頻度で発生する画像遷移のための駆動波形である、請求項１に記載のディスプレイドライバ。
【請求項４】
前記複数の駆動波形のうち特定の波形が、白色から白色への画像遷移を除く全ての画像遷移のための駆動波形を有する、請求項３に記載のディスプレイドライバ。
【請求項５】
ユーザにより規定された期間に基づいて、前記連続する期間の継続時間を制限する、請求項１に記載のディスプレイドライバ。
【請求項６】
特定の駆動波形の長さに依存して、前記駆動波形のうち特定の波形の供給を開始するための期間を決定する、請求項１に記載のディスプレイドライバ。
【請求項７】
前記ディスプレイは双安定ディスプレイである、請求項１に記載のディスプレイドライバ。
【請求項８】
請求項１に記載のディスプレイドライバを有するディスプレイパネル。
【請求項９】
請求項８に記載のディスプレイパネルを有する電子装置。
【請求項１０】
ディスプレイを駆動する方法であって、画像を更新するための複数の駆動波形を供給するステップを有し、前記複数の駆動波形のそれぞれ１つの供給は、連続する期間のそれぞれ１つにおいて開始され、前記複数の駆動波形の少なくとも後続するサブセットが１以上の後続する画素について供給され、前記１以上の後続する画素のそれぞれは、駆動波形の後続するサブセットの以前のものが供給された１以上の以前の画素よりも、前記画像の反対側に近い方法。
【請求項１１】
請求項１０に記載の方法をディスプレイドライバが実行可能とするように動作可能な制御ソフトウェア。
【発明の詳細な説明】
【技術分野】
【０００１】
本発明は、ディスプレイドライバ、斯かるドライバを有するディスプレイパネル、斯かるディスプレイパネルを有する電子装置、ディスプレイを駆動する方法、及びディスプレイを駆動する方法をディスプレイドライバが実行することを可能とするように動作可能な制御ソフトウェアに関する。ディスプレイは例えば、双安定ディスプレイであっても良い。
【背景技術】
【０００２】
最初のパラグラフにおいて言及されたタイプのディスプレイ装置は、国際特許出願公開ＷＯ９９／５３３７３から知られている。該特許出願は、２つの基板を有する電子インクディスプレイ（Ｅインクディスプレイとも呼ばれる）を開示している。一方の基板は透明であり、他方の基板は行及び列に配置された電極を備える。表示要素即ち画素は、行電極及び列電極の交点と関連付けられる。各表示要素は、薄膜トランジスタ（ＴＦＴとも呼ばれる）の主電極を介して、列電極に結合される。ＴＦＴのゲートは、行電極と結合される。表示要素のこの構成、ＴＦＴ、並びに行及び列電極は、合わせてアクティブマトリクス型ディスプレイ装置を形成する。
【０００３】
各画素は画素電極、即ちＴＦＴを介して列電極に接続された画素の電極を有する。画像の更新又は画像のリフレッシュ期間の間、行ドライバは、表示要素の全ての行を１つずつ選択するように制御され、列ドライバは、選択された行の表示要素と並行して列電極及びＴＦＴを介して、データ信号を供給するように制御される。データ信号は、マトリクス型ディスプレイ装置に表示されるべき画像データに対応する。
【０００４】
更に、透明基板に配置された画素電極と共通電極との間に、電子インクが備えられる。電子インクはかくして、共通電極と画素電極との間に挟持される。電子インクは、約１０乃至５０ミクロンの多数のマイクロカプセルを有する。各マイクロカプセルは、液体中に浮遊した正に帯電した白色の粒子と負に帯電した黒色の粒子とを有する。正の電荷が画素電極に印加された場合、白色の粒子がマイクロカプセルの透明基板の側に移動し、観測者にとって表示要素が白く見える。同時に、黒色の粒子がマイクロカプセルの反対側における画素電極に移動し、観測者からは隠される。負の電圧を画素電極に印加することにより、黒色の粒子がマイクロカプセルの透明基板の側における共通電極に移動し、観測者にとって表示要素が黒く見える。電場が除去されると、ディスプレイ装置は得られた状態に留まり、双安定の特性を呈する。白色及び黒色の粒子を持つ電子インクディスプレイは、電子書籍として特に有用である。
【０００５】
マイクロカプセルの上端において共通電極へと移動する粒子の量を制御することにより、ディスプレイ装置のグレースケールが生成されることができる。例えば、電界強度と印加の時間との積として定義される、正又は負の電場のエネルギーが、マイクロカプセルの上端に移動する粒子の量を制御する。
【発明の開示】
【発明が解決しようとする課題】
【０００６】
既知のディスプレイ装置の欠点は、点滅（flashing）及び／又は光のちらつき（flicker）の頻繁な出現である。
【０００７】
本発明の目的は、点滅及び／又は光のちらつきの可視度を低減することにある。
【課題を解決するための手段】
【０００８】
本発明の第１の態様は、画像を更新するための複数の駆動波形を供給するように動作可能なプロセッサを有するディスプレイドライバであって、前記複数の駆動波形のそれぞれ１つの供給は、連続する期間のそれぞれ１つにおいて開始され、前記複数の駆動波形の少なくとも後続するサブセットが１以上の後続する画素について供給され、前記１以上の後続する画素のそれぞれは、駆動波形の後続するサブセットの以前のものが供給された１以上の以前の画素よりも、前記画像の反対側に近いディスプレイドライバを提供する。本発明者は、画像のアーティファクト又はゴーストを低減するために複雑な駆動波形が種々の光学的な遷移のために通常必要とされるために、光のちらつき又は点滅がページ遷移の間の振動効果（shaking effect）として出現することを認識した。画像更新時間、即ちページをめくるための時間は、典型的に１乃至２秒である。本発明は、故意のビデオ効果（以下、「波形移動」効果と呼ぶ）を生成することにより、これら振動効果を低減させる。該波形移動効果は、画像の更新時に、画素毎に又はライン毎に、故意に遅延を導入することにより、マトリクス型ディスプレイにおいて達成されることができる。該遅延は、マトリクス型ディスプレイにおいて利用される生来のライン時間よりも、目に見えて長い。
【０００９】
該「波形移動」効果は好ましくは、従来の紙の書籍又は新聞紙においてページをめくることと同じ感覚を提供する。ページは例えば、左から右、右から左、右上の隅から左下の隅、又は右下の隅から左上の隅へとめくられ得る。例えば該波形は、ライン毎の遅延時間がシーケンシャルに導入される場合には、右の１行目から開始し、ページを横切って左へと徐々に移動しても良いし、シーケンシャルな画素毎の遅延時間が利用される場合には、右上の隅における１番目の画素から開始し、対角線の方向に左下の隅へと徐々に移動しても良い。各駆動波形の供給又は駆動波形の各群（例えば画素のライン毎に１つの群）の供給は、異なる時刻に開始しても良い。従来のページをめくる効果とは別の「波形移動」効果が提供されても良い。例えば、画像の更新が画像の全ての端において開始し画像の中心へと進行しても良いし、画像の中心で開始し画像の全ての端へと進行しても良い。
【００１０】
複数の駆動波形のサブセットは、該複数の駆動波形のうちの全ての駆動波形を有しても良いが、このことは必須ではない。サブセットは、「波形移動」効果を生成するために十分に大きいことのみを必要とする。
【００１１】
本発明のディスプレイドライバの実施例においては、前記複数の駆動波形のうち特定の波形が、連続する期間のうち１以上の最初の期間において供給され、前記特定の波形は、グレースケールに向かう画像遷移のための駆動波形である。グレースケールに向かう画像遷移のための駆動波形は、一般に最も長い波形である。連続する期間の、１以上の先頭のもの（例えば画像更新の開始時）において、これらを供給することにより、画像更新の全体時間の増大が制限される。
【００１２】
加えて、又は代替として、前記特定の波形は、比較的低頻度で発生する画像遷移のための駆動波形であっても良い。高頻度で発生する画像遷移の遅延は、「波形移動」効果を生成するために十分であるように決定される。
【００１３】
前記複数の駆動波形のうち特定の波形は、白色から白色への画像遷移を除く全ての画像遷移のための駆動波形を有しても良い。白色から白色への画像遷移は、電子書籍及び新聞において高頻度で発生する。
【００１４】
前記ディスプレイドライバは、ユーザにより規定された期間に基づいて、前記連続する期間の継続時間を制限しても良い。「波形移動」効果は増大された遅延時間により増強されるが、全体のページを更新するための、より長いリフレッシュ時間にも帰着する。それ故、通常の紙の書籍を読むように、デフォルトの値が例えば約１秒であるような、パーソナライズされた全体の遅延時間の選択が可能であることが、更に有利である。  駆動波形が供給される順序は、ユーザによりプログラム可能であっても良い。ユーザは、該ユーザが好む特定の「波形移動」効果を選択することが可能であっても良く、これにより画像更新において知覚される遅延を低減させられ得る。
【００１５】
前記ディスプレイドライバは、特定の駆動波形の長さに依存して、前記駆動波形のうち特定の波形の供給を開始するための期間を決定しても良い。駆動波形を、例えば期間の特定の１つにおいて開始させるのではなく、期間の特定の１つにおいて終了させることにより、「波形移動」効果が拡張され得る。
【００１６】
前記ディスプレイは、例えば電気泳動ディスプレイ又は反射型コレステリックディスプレイのような、双安定ディスプレイであっても良い。電子書籍において利用される、このタイプのディスプレイは、光のちらつき及び点滅の出現により最も影響を受けるものと思われる。しかしながら、前記ディスプレイは、例えば殆どのテレビジョンにおいて利用されているもののような、従来のディスプレイであっても良い。
【００１７】
本発明の第２の態様は、前記ディスプレイドライバを有するディスプレイパネルを提供する。
【００１８】
本発明の第３の態様は、前記ディスプレイパネルを有する電子装置を提供する。前記電子装置は、例えば電子書籍、ＰＤＡ、移動電話、テレビジョン又はコンピュータモニタであっても良い。
本発明のこれらの及び他の態様は、添付図面を参照しながら更に説明され明らかとなるであろう。
図面において対応する要素は、同一の参照番号により識別される。
【発明を実施するための最良の形態】
【００１９】
図１は、例えば数個の表示要素のサイズを持つ、電気泳動ディスプレイパネル１の一部の断面図を示す。電気泳動ディスプレイパネル１は、ベース基板２、及び例えばポリエチレンの２つの透明な基板３と基板４との間に存在する電子インクを持つ電気泳動膜を有する。一方の基板３は透明な画像電極５及び５'を備え、他方の基板４は透明な対極６を備える。電子インクは、約１０乃至５０ミクロンの多数のマイクロカプセル７を有する。マイクロカプセル７は球形である必要はなく、例えば大部分が長方形であるような他のいずれの形もとり得る。各マイクロカプセル７は、液体中に浮遊する正に帯電した黒色の粒子８と負に帯電した白色の粒子９とを有する。ダッシュを引かれた物質は高分子結合剤である。粒子８及び９は、白色及び黒色以外の色を持っても良い。単に、２つのタイプの粒子８及び９が、異なる光学的な特性及び異なる電荷を持ち、印加される電場に対して異なるように振舞うことが重要である。層３は必須ではなく、接着層であっても良い。画像電極５に対して負の電圧が対極６に印加された場合、黒色の粒子８をマイクロカプセル７の対極６の側に移動させる電場が生成され、当該表示要素は観測者に対して暗く見える。同時に、白色の粒子９はマイクロカプセル７の反対側に移動し、観測者からは隠される。対極６と画像電極５との間に正の電場を印加することにより、白色の粒子９がマイクロカプセル７の対極６の側に移動し、当該表示要素は観測者に対して白く見える（図示されていない）。電場が除去されると、粒子７は得られた状態に留まり、該ディスプレイは双安定の特性を呈し、略電力を消費しない。
【００２０】
図２は、ディスプレイパネル１の等価回路を図示する。該等価回路は、アクティブスイッチ素子１９、行ドライバ１６及び列ドライバ１０を備えたベース基板２に積層された電気泳動膜を有する。対極６は好ましくは、カプセル化された電気泳動インクを有する膜上に備えられるが、ディスプレイの動作が面内電場の利用に基づく場合には、代替として対極６はベース基板に備えられても良い。ディスプレイパネル１は、例えば薄膜トランジスタ（ＴＦＴ）１９である、アクティブスイッチ素子により駆動される。ディスプレイパネル１は、行電極即ち選択電極１７と、列電極即ちデータ電極１１との交点のエリアにおいて、表示要素のマトリクスを有する。行ドライバ１６は、連続的に行電極１７を選択し、列ドライバ１０は選択された行電極１７について列電極１１にデータ信号を供給する。好ましくは、プロセッサ１５が最初に、入力データ１３を列電極１１により供給されるべきデータ信号へと処理する。
【００２１】
制御ライン１２及び１２'は、列ドライバ１０と行ドライバ１６との間の相互同期を制御する信号を搬送する。行電極１７に電気的に接続された行ドライバ１６からの選択信号は、薄膜トランジスタ１９のゲート電極２０を介して画素電極２２を選択する。薄膜トランジスタ１９のソース電極２１は、列電極１１に電気的に接続される。列電極１１に存在するデータ信号は、ＴＦＴのドレイン電極に結合された表示要素１８（画素とも呼ばれる）の画素電極２２へ転送される。図示された実施例においては、図１のディスプレイ装置は更に、各表示要素１８の位置に任意のキャパシタ２３を有する。該任意のキャパシタ２３は、関連する画素１８の画素電極２２と１以上の蓄積キャパシタ線２４との間に接続される。ＴＦＴの代わりに、ダイオードやＭＩＭ等のような、他のスイッチ素子が利用されても良い。
【００２２】
プロセッサ１５は、画像を更新するための、複数の駆動波形を供給するように動作可能である。該複数の駆動波形のそれぞれの１つの供給は、連続する期間のそれぞれの１つにおいて開始される。該複数の駆動波形の少なくとも後続するサブセットは、１以上の後続する画素に対して供給される。該１以上の後続する画素のそれぞれは、駆動波形の後続するサブセットの以前の１つが供給された１以上の以前の画素よりも、画像の反対側に近い。ディスプレイパネル１を有する電子装置においては、入力データ信号ＩＶを受信して入力データ１３としての画像をプロセッサ１５に供給する、画像処理回路２５が存在する。
【００２３】
図３は、ｍ個の列（例えば８００個の列）とｎ本のライン（例えば６００本のライン）から成る、アクティブマトリクス型ディスプレイを示す。例えばページをめくる時のような、画像リフレッシュ期間においては、アクティブマトリクス型ディスプレイは、画素Ｐ１１からＰ１２、…Ｐ１ｍ、Ｐ２１、Ｐ２２、…Ｐｎｍへと、各フレームにおいてライン毎に走査される。ここで典型的なフレーム時間は２０ｍｓであり、約３３ｕｓ（＝２０ｍｓ／６００ライン）のライン時間に対応する。駆動波形は典型的に１０００乃至２０００ｍｓの長さであるため、多数のフレームが通常必要とされる。これら駆動波形は通常、プリセットパルスやオーバリセットパルスのような多数の部分から成り、画像更新の際に点滅又はちらつきを伴う長い波形に帰着する。列又はライン反転のような方法が点滅の量を低減するために利用され得るが、これらの方法は、消費者が真に快適と感じるレベルを達成するには不十分であることが分かった。「波形移動」効果（例えば、従来の紙の書籍を読むユーザには見慣れた特徴）を生成することが、この点滅を低減することができる。画像更新において、画素毎に又はライン毎に、遅延が故意に導入される。該遅延は、マトリクス型ディスプレイにおける生来のライン時間よりも、かなり長い。
【００２４】
第１の実施例においては、ライン毎の遅延が導入され、このことは図４において模式的に示される。画像更新は、第１のラインにおける全ての画素に対して全ての波形を実行することにより、第１のラインから開始する。ライン２乃至ラインｎにおける全ての画素についての波形は、後続する走査において実行されない。ライン２における全ての画素についての波形は、遅延時間ｔＬが経過したときに実行されるように開始し、ライン３乃至ラインｎにおける全ての画素についての波形は、後続する走査において実行されない。ライン１における全ての画素についての波形の実行は、全ての後続するフレームにおいて継続される。同様に、ライン３における全ての画素についての波形は、遅延時間２ｘｔＬが経過したときに実行されるように開始し、ライン４乃至ラインｎにおける全ての画素についての波形は、後続する走査において実行されない。ライン１及びライン２における画素についての波形の実行が、全ての後続するフレームにおいて継続される。同様の手順が、ラインｎが処理されるまで、後続するラインについて繰り返される。ディスプレイ全体の更新は、最後のラインの画素について最も長い波形の最後のフレームが更新されたとき、完了する。かくして、ディスプレイがポートレイト書籍として利用される場合、波形は、図４（下部）に示すように、右の最初のラインから始まり、ページを横切って左へと徐々に移動する。右から左への全体の遅延時間が１．２秒となるようユーザにより要求され、ディスプレイのラインの数が６００であると仮定すると、一定のライン遅延時間ｔＬは、約２ｍｓ（＝１２００ｍｓ／６００ライン）となる。よりユーザが所望するような特徴を生成するため、ライン毎に可変の遅延時間を定義することも可能である。
【００２５】
第２の実施例においては、波形移動効果は、一定のフレーム時間を持つ、図５に示されるようなラインの遅延ブロックにより実現される。本例においては、２０ｍｓの全体の遅延時間（ｔＦ）即ち１フレーム時間を持つ、１０本のラインのブロックが利用され、ライン毎に２ｍｓの遅延時間と同等である。画像更新は、最初の１０本のラインにおける全ての画素について全ての波形を実行することにより、ライン１乃至１０から成る第１のブロックから開始する。ライン１１乃至ラインｎにおける全ての画素についての波形は、後続する走査において実行されない。ライン１１乃至２０（ラインの第２のブロック）における全ての画素についての波形は、遅延時間ｔＦが経過したときに実行されるように開始し、ライン２１乃至ラインｎにおける全ての画素についての波形は、後続する走査において実行されない。ライン１乃至１０における全ての画素についての波形の実行は、全ての後続するフレームにおいて継続される。同様に、ライン２１乃至３０における全ての画素についての波形は、遅延時間２ｘｔＦが経過したときに実行されるように開始し、ライン３１乃至ラインｎにおける全ての画素についての波形は、後続する走査において実行されない。ライン１乃至１０及びライン１１乃至２０における画素についての波形の実行が、全ての後続するフレームにおいて継続される。同様の手順が、ラインｎが処理されるまで、次の１０本のラインのブロックについて繰り返される。このようにして、波形は、図５（下部）に示すように、右の１０本のラインの最初のブロックから始まり、ページをわたって左へと徐々に移動する。右から左への全体の遅延時間が１．２秒となるようユーザにより要求され、ディスプレイのラインの数が６００であると仮定すると、一定のライン遅延時間ｔＦは、１０本のラインのブロックについては約２０ｍｓ（＝１２００ｍｓ／６０ブロック）となり、有利にも丁度（標準的な）１フレーム時間である。
【００２６】
第３の実施例においては、画素毎の遅延が導入され、このことは図６に模式的に示される。画像更新は、右上の隅における画素について波形を実行することにより、第１の画素Ｐ１１から開始する。他の全ての画素についての波形は、後続する走査において実行されない。画素Ｐ１２及びＰ２１についての波形が、遅延時間ｔｐが経過したときに実行されるように開始し、以前の走査において開始されていない他の全ての画素についての波形は、後続する走査において実行されない。同様に、画素Ｐ１３、Ｐ３１及びＰ２２についての波形は、遅延時間２ｘｔｐが経過したときに実行されるように開始し、以前の走査において開始されていない他の全ての画素についての波形は、後続する走査において実行されない。同様の手順が、最後の画素Ｐｎｍが処理されるまで、後続する画素について繰り返される。ディスプレイ全体の更新は、最後の画素が完全に更新されたとき、完了する。かくして、ディスプレイがポートレイト書籍として利用される場合、波形は、図６（下部）に示すように、右上の隅から始まり、ページをわたって左下の隅へと徐々に移動する。右上の隅から左下の隅までの全体の遅延時間が２秒となるようユーザにより要求され、対角方向に沿った画素の数が１０００であると仮定すると、一定のライン遅延時間ｔｐは、約２ｍｓ（＝２０００ｍｓ／１０００画素）となる。代替として、シーケンシャルな順序Ｐ１１、Ｐ１２、Ｐ１３、…Ｐ１ｍ、Ｐ２１、Ｐ２２、Ｐ２３、…Ｐ２ｍ、Ｐ３１、Ｐ３２、Ｐ３３、…Ｐ３ｍ、…Ｐｎｍも考えることができ、画素間の大きなシーケンシャルな遅延時間を伴って利用されても良い。よりユーザが所望するような特徴を生成するため、画素毎に可変の遅延時間を定義することも可能である。
【００２７】
第４の実施例においては、波形移動効果は、一定のフレーム時間を持つ、図７に示されるような画素の遅延ブロックにより実現される。本例においては、２０ｍｓの全体の遅延時間（ｔＦ）即ち１フレーム時間を持つ、対角方向に沿った１０個の画素のブロックが利用され、画素毎に２ｍｓの遅延時間と同等である。画像更新は、右上の隅における画素のブロックについて波形を実行することにより、画素の第１のブロックＢＰ１から開始する。他の全ての画素についての波形は、後続する走査において実行されない。画素群ＢＰ２についての波形は、遅延時間ｔＦが経過したときに実行されるように開始し、以前の走査において開始されていない他の全ての画素についての波形は、後続する走査において実行されない。同様に、画素群ＢＰ３についての波形は、遅延時間２ｘｔＦが経過したときに実行されるように開始し、以前の走査において開始されていない他の全ての画素についての波形は、後続する走査において実行されない。同様の手順が、最後の画素の群ＢＰｎ／１０が処理されるまで、次の画素の群即ちブロックについて繰り返される。波形は、図７（下部）に示すように、右上の隅から始まり、ページをわたって左下の隅へと徐々に移動する。右上の隅から左下の隅までの全体の遅延時間が２秒となるようユーザにより要求され、対角方向に沿った画素の数が１０００であると仮定すると、一定の遅延時間ｔＦは、１０個の画素のブロックについては約２０ｍｓ（＝２０００ｍｓ／１００ブロック）となり、有利にも丁度（標準的な）１フレーム時間である。
【００２８】
「波形移動」効果が生成され、且つページ全体を更新するためのリフレッシュ時間は著しく延長されないように、最も長い駆動波形を必要とする光学的な遷移を伴う画素については遅延のない波形を供給することも可能である。グレースケールに向かう画像遷移のための波形が、通常最も長い。ページ更新毎に、ディスプレイ全体の５０乃至６０％が、しばしば白色から白色への画像遷移を必要とすることが、実験的に分かった。白色から白色への画像遷移のための波形の長さは、通常最も長い駆動波形の約半分である。それ故、白色から白色への画像遷移についての更新のみ、画素毎にシーケンシャルに遅延させることにより、リフレッシュ時間の大幅な増大を回避することも可能である。
【００２９】
本発明は好適な実施例に関連して説明されたが、以上に概説された原理内の変更は当業者には明らかであり、それ故本発明は好適な実施例に限定されるものではなく、斯かる変更を包含するものであることは、理解されるであろう。本発明は、それぞれの及び全ての新規な特徴及び特徴のそれぞれの及び全ての組み合わせに存する。請求項における参照番号は、請求の範囲を限定するものではない。動詞「有する（comprise）」及びその語形変化の使用は、請求項に記載されたもの以外の要素の存在を除外するものではない。要素に先行する冠詞「１つの（a又はan）」は、複数のかような要素の存在を除外するものではない。
【００３０】
当業者には明らかであるように、「手段（means）」は、単独の又は他の要素と協働する、いずれのハードウェア（別個の又は集積された回路又は電子素子のような）、又は特定の機能を動作時に実行する若しくは実行するように構成されたソフトウェアをも含むことを意図している。本発明は、幾つかの別個の要素を有するハードウェアによって、及び適切にプログラムされたコンピュータによって実装されても良い。幾つかの手段を列記した装置請求項において、これら手段の幾つかは同一のハードウェアのアイテムによって実施化されても良い。「制御ソフトウェア」は、フロッピー（登録商標）ディスクのようなコンピュータ読み取り可能な媒体に保存された、インターネットのようなネットワークを介してダウンロード可能な、又は他のいずれかの方法で取引可能ないずれのソフトウェアをも意味するものと理解されるべきである。
【図面の簡単な説明】
【００３１】
【図１】電気泳動ディスプレイの一部の断面図を示す。
【図２】図１の電気泳動ディスプレイの一部の等価回路図を用いて電子装置を図示する。
【図３】アクティブマトリクス型ディスプレイの模式的な表現である。
【図４】本発明の方法の第１の実施例を示す。
【図５】本発明の方法の第２の実施例を示す。
【図６】本発明の方法の第３の実施例を示す。
【図７】本発明の方法の第４の実施例を示す。
【図１】
2008529052.tif 000003
【図２】
2008529052.tif 000004
【図３】
2008529052.tif 000005
【図４】
2008529052.tif 000006
【図５】
2008529052.tif 000007
【図６】
2008529052.tif 000008
【図７】
2008529052.tif 000009
【国際調査報告】
2008529052.tif 000010
2008529052.tif 000011